【手続補正書】
【提出日】平成20年12月15日(2008.12.15)
【手続補正１】
【補正対象書類名】特許請求の範囲
【補正対象項目名】請求項１
【補正方法】変更
【補正の内容】
【請求項１】
顧客により所有される顧客端末装置と、前記顧客端末装置と所定の通信回線を介して接続され、前記顧客からの写真のプリント指示を受け付けるプリント受注装置と、を備え、
前記顧客端末装置は、
画像の色が所定規格の色空間で表される画像情報に基づいて、前記画像を表示する画像表示装置と接続され、
視聴用コンテンツを受信する視聴用コンテンツ受信手段と、
前記画像表示装置に前記画像として表示される前記視聴用コンテンツの画質調整を行う画質調整手段と、
色が前記所定規格と同一規格の色空間で表される写真画像情報の写真のプリント指示に係るプリント指示情報を入力するプリント指示情報入力手段と、
前記プリント指示情報入力手段により入力された前記プリント指示情報と前記画質調整手段により行われた前記画質調整に係る画質調整情報を送信する情報送信手段と、を備え、
前記プリント受注装置は、
前記情報送信手段から送信された前記プリント指示情報及び前記画質調整情報を受信する情報受信手段と、
前記情報受信手段により受信された前記画質調整情報に基づいて、前記プリント指示情報によりプリントが指示された前記写真の前記写真画像情報の画質補正を行う写真画質補正手段と、を備えることを特徴とする写真プリントシステム。 
【手続補正２】
【補正対象書類名】特許請求の範囲
【補正対象項目名】請求項４
【補正方法】変更
【補正の内容】
【請求項４】
顧客により所有され、画像の色が所定規格の色空間で表される画像情報に基づいて、前記画像を表示する画像表示装置と接続される顧客端末装置と、前記顧客端末装置と所定の通信回線を介して接続され、前記顧客からの写真のプリント指示を受け付けるプリント受注装置と、を用いる写真プリント方法であって、
前記顧客端末装置は、
視聴用コンテンツを受信する処理と、
前記画像表示装置に前記画像として表示される前記視聴用コンテンツの画質調整を行う処理と、
色が前記所定規格と同一規格の色空間で表される写真画像情報の写真のプリント指示に係るプリント指示情報を入力する処理と、
入力された前記プリント指示情報と前記画質調整に係る画質調整情報を送信する処理と、を行い、
前記プリント受注装置は、
前記顧客端末装置から送信されて受信された前記画質調整情報に基づいて、前記プリント指示情報によりプリントが指示された前記写真の前記写真画像情報の画質補正を行う処理を行うことを特徴とする写真プリント方法。 
【手続補正３】
【補正対象書類名】明細書
【補正対象項目名】０００５
【補正方法】変更
【補正の内容】
【０００５】
請求項１に記載の発明の写真プリントシステム（例えば、図１の写真プリントシステム１００等）は、
顧客（例えば、図１の顧客Ｙ等）により所有される顧客端末装置（例えば、図１の顧客端末装置２等）と、前記顧客端末装置と所定の通信回線（例えば、図１のインターネットＮ等）を介して接続され、前記顧客からの写真のプリント指示を受け付けるプリント受注装置（例えば、図１の写真プリント装置４等）と、を備え、
前記顧客端末装置は、
画像の色が所定規格の色空間で表される画像情報に基づいて、前記画像を表示する画像表示装置（例えば、図１の画像表示装置３等）と接続され、
視聴用コンテンツを受信する視聴用コンテンツ受信手段と、
前記画像表示装置に前記画像として表示される前記視聴用コンテンツの画質調整を行う画質調整手段（例えば、図２の画像処理部２１４等）と、
色が前記所定規格と同一規格の色空間で表される写真画像情報の写真のプリント指示に係るプリント指示情報を入力するプリント指示情報入力手段（例えば、図２のリモコン２２等）と、
前記プリント指示情報入力手段により入力された前記プリント指示情報と前記画質調整手段により行われた前記画質調整に係る画質調整情報（例えば、図２の画質調整データＤ等）を送信する情報送信手段（例えば、図２の通信制御部２１８等）と、を備え、
前記プリント受注装置は、
前記情報送信手段から送信された前記プリント指示情報及び前記画質調整情報を受信する情報受信手段（例えば、図６の通信制御部４１等）と、
前記情報受信手段により受信された前記画質調整情報に基づいて、前記プリント指示情報によりプリントが指示された前記写真の前記写真画像情報の画質補正を行う写真画質補正手段（例えば、図６の画像処理部４２等）と、を備えることを特徴としている。 
【手続補正４】
【補正対象書類名】明細書
【補正対象項目名】０００８
【補正方法】変更
【補正の内容】
【０００８】
請求項４に記載の発明は、
顧客（例えば、図１の顧客Ｙ等）により所有され、画像の色が所定規格の色空間で表される画像情報に基づいて、前記画像を表示する画像表示装置（例えば、図１の画像表示装置３等）と接続される顧客端末装置（例えば、図１の顧客端末装置２等）と、前記顧客端末装置と所定の通信回線（例えば、図１のインターネットＮ等）を介して接続され、前記顧客からの写真のプリント指示を受け付けるプリント受注装置（例えば、図１の写真プリント装置４等）と、を用いる写真プリント方法であって、
前記顧客端末装置は、
視聴用コンテンツを受信する処理と、
前記画像表示装置に前記画像として表示される前記視聴用コンテンツの画質調整を行う処理と、
色が前記所定規格と同一規格の色空間で表される写真画像情報の写真のプリント指示に係るプリント指示情報を入力する処理と、
入力された前記プリント指示情報と前記画質調整に係る画質調整情報（例えば、図２の画質調整データＤ）を送信する処理と、を行い、
前記プリント受注装置は、
前記顧客端末装置から送信されて受信された前記画質調整情報に基づいて、前記プリント指示情報によりプリントが指示された前記写真の前記写真画像情報の画質補正を行う処理を行うことを特徴としている。
【手続補正５】
【補正対象書類名】明細書
【補正対象項目名】０００９
【補正方法】変更
【補正の内容】
【０００９】
請求項１に記載の発明によれば、画像表示装置に画像の色が所定規格の色空間で表される画像情報に基づいて表示される画像としての視聴用コンテンツの画質調整を予め行っておくことで、色が所定規格と同一規格の色空間で表される写真画像情報の写真のプリントを行う際に、画質調整に係る画質調整情報に基づいて、プリントが指示された写真の写真画像情報の画質補正を行うことができ、顧客の嗜好に沿う画質の写真の提供を簡便に行うことができる。
このとき、顧客は写真のプリント発注に際して、当該写真の画質調整を行う必要がないため、顧客に対して画質補正処理の実行を意識させることがなくなり、これらの処理によって顧客を煩わせることがなくなる。
【手続補正６】
【補正対象書類名】明細書
【補正対象項目名】００１２
【補正方法】変更
【補正の内容】
【００１２】
請求項４に記載の発明によれば、画像表示装置に画像の色が所定規格の色空間で表される画像情報に基づいて表示される画像としての視聴用コンテンツの画質調整を予め行っておくことで、色が所定規格と同一規格の色空間で表される写真画像情報の写真のプリントを行う際に、画質調整に係る画質調整情報に基づいて、プリントが指示された写真の写真画像情報の画質補正を行うことができ、顧客の嗜好に沿う画質の写真の提供を簡便に行うことができる。
このとき、顧客は写真のプリント発注に際して、当該写真の画質調整を行う必要がないため、顧客に対して画質補正処理の実行を意識させることがなくなり、これらの処理によって顧客を煩わせることがなくなる。